(57)【要約】【課題】エレベータ用巻上げ機のメインシーブを現場で抜き取る。【解決手段】シーブ交換装置は、メインシーブ６を回転軸７から抜き取るときに、回転軸７の端部を押し込み可能な抜取り用ロッドと、メインシーブ６の回転軸方向外側に面する外側円板面に対向するように且つこの外側円板面に固定されて、軸方向に貫通し回転軸７および抜取り用ロッドが通り抜け可能な抜取り用貫通穴１７が形成されたシーブ抜取り用プレート１３ａと、抜取り用ロッドが抜取り用貫通穴１７を貫通した状態を保ちながら回転軸７の端部を回転軸７に向かって押すと共に、メインシーブ６が固定されたシーブ抜取り用プレート１３ａを回転軸７から離れる方向へ移動させる駆動部２４と、を有する。【選択図】図１０
2011051791.tif 000002
【特許請求の範囲】
【請求項１】
エレベータ用の巻上げ機の水平な回転軸の一方の端部が貫通するように軸方向外側から抜取り可能に嵌め込まれて、この回転軸と共に回転し、エレベータ乗りかごを上下移動させるメインロープが外周面に懸架された円筒状のメインシーブを交換するシーブ交換装置において、
当該シーブ交換装置は、前記メインシーブを前記回転軸から抜き取るときに、前記メインシーブが取り付けられる側の前記回転軸の端部近傍に配置可能で、
前記メインシーブを前記回転軸から抜き取るときに、前記回転軸方向に延びて前記回転軸の端部を押し込み可能に配置された抜取り用ロッドと、
前記メインシーブを前記回転軸から抜き取るときに、前記メインシーブの回転軸方向外側に面する外側円板面に対向するように且つこの外側円板面に着脱可能に取り付けられて、軸方向に貫通し前記回転軸および抜取り用ロッドそれぞれが通り抜け可能な抜取り用貫通穴が形成されたシーブ抜取り用プレートと、
前記抜取り用ロッドが前記抜取り用貫通穴を貫通した状態を保ちながら前記回転軸の端部を押すと共に、前記メインシーブが固定された前記シーブ抜取り用プレートを前記回転軸から離れる方向へ移動させるように構成された駆動部と、
を有することを特徴とするシーブ交換装置。
【請求項２】
前記駆動部は、
前記シーブ抜取り用プレートに対して相対的に軸方向に移動し前記抜取り用ロッドに連結されて互いに一体に移動可能に構成された直線移動部材と、この直線移動部材を取り囲み前記シーブ抜取り用プレートに直接または間接的に着脱可能に取り付けられた固定部材とを含み、
前記直線移動部材が、前記抜取り用ロッドを前記回転軸に向けて直線的に押したときに、前記回転軸から前記メインシーブが抜き取られるように構成されていること、
を特徴とする請求項１に記載のシーブ交換装置。
【請求項３】
前記シーブ交換装置は、
前記メインシーブを前記回転軸から抜き取るときに、それぞれが前記回転軸に平行で前記メインシーブの半径方向外側に互いに周方向間隔をあけて配置されて、それぞれがシーブ抜取り用プレートの前記抜取り用貫通穴以外の部位を軸方向に貫通するように構成された複数の支柱部材と、
前記シーブ抜取り用プレートの、前記メインシーブがある側と反対側にある少なくとも２つの前記支柱部材それぞれに固定可能で、前記固定部材が着脱可能に取り付けられた架台部と、
を有することを特徴とする請求項２に記載のシーブ交換装置。
【請求項４】
前記シーブ交換装置は、
前記支柱部材が延びる方向に前記シーブ抜取り用プレートと互いに間隔をあけて平行に配置されて、軸方向に貫通する嵌込み用貫通穴が形成されて、前記各支柱部材が前記嵌込み用貫通穴以外の部位を前記支柱部材が延びる方向に貫通するように構成されたシーブ嵌込み用プレートを有し、
前記シーブ嵌込み用プレート、シーブ抜取り用プレート、および各支柱部材は、一体に構成されて、
前記メインシーブを前記回転軸に嵌め込むときに、
取付け用の前記メインシーブは、前記シーブ抜取り用プレートがある側と反対側の前記シーブ嵌込み用プレートに互いに相対位置を保つように、且つ前記外側円板面と前記シーブ嵌込み用プレートとが対向するように固定されて、
取付け用ボルトを、前記シーブ抜取り用プレートがある側から前記嵌込み用貫通穴を貫通させて少なくとも１つの前記ボルト穴に螺合させて、
前記取付け用ボルトを前記回転軸方向に締め付けたときに、前記嵌込み用プレートに固定された前記メインシーブが、前記回転軸がある方に押し付けられて前記回転軸に嵌め込まれるように構成されていること、
を特徴とする請求項３に記載のシーブ交換装置。
【請求項５】
前記メインシーブの外周面に着脱可能で、前記メインシーブを加熱可能な抜取り用電熱線を有し、
前記メインシーブは、前記抜取り用電熱線で加熱された後に、前記回転軸から抜き取られるように構成されていることを特徴とする請求項１ないし請求項４のいずれか一項に記載のシーブ交換装置。
【請求項６】
水平に配置されて端部にボルト穴が形成された回転軸を有する巻上げ機に装着されて前記回転軸と共に回転し外周面に前記メインロープが懸架された円筒状のメインシーブを、前記回転軸の前記端部が貫通するように回転軸方向外側から嵌め込むシーブ交換装置において、
当該シーブ交換装置は、前記メインシーブを前記回転軸に嵌め込むときに、前記メインシーブが取り付けられる側の前記回転軸の端部近傍に配置可能で、
取付け用の前記メインシーブを前記回転軸に取り付けるときに、取付け用の前記メインシーブが着脱可能に取り付けられて、軸方向に貫通する嵌込み用貫通穴が形成されたシーブ嵌込み用プレートと、
前記嵌込み用貫通穴に貫通可能で、前記ボルト穴に螺合可能な取付け用ボルトと、
を有し、
前記取付け用ボルトを、前記嵌込み用貫通穴を貫通させて少なくとも１つの前記ボルト穴に螺合させて、
前記取付け用ボルトを前記回転軸方向に締め付けたときに、前記シーブ嵌込み用プレートに固定された前記メインシーブが、前記回転軸がある方に押し付けられて前記回転軸に嵌め込まれて固定されるように構成されていること、
を特徴とするシーブ交換装置。
【請求項７】
前記メインシーブの外周面に着脱可能で、前記メインシーブを加熱可能な取付け用電熱線を有し、
前記メインシーブは、前記取付け用電熱線で加熱された後に、前記回転軸に嵌め込まれるように構成されていることを特徴とする請求項４ないし請求項６のいずれか一項に記載のシーブ交換装置。
【請求項８】
昇降路内を上下移動可能に構成された乗りかごと、
前記乗りかごを吊るメインロープと、
水平に配置された回転軸と、この回転軸の一方の端部が貫通するように軸方向外側から抜取り可能に嵌め込まれて、この回転軸と共に回転し、エレベータ乗りかごを上下移動させるメインロープが外周面に懸架された円筒状のメインシーブを有する巻き上げ機と、
前記メインシーブが取り付けられる側の前記回転軸の端部近傍に配置可能なシーブ交換装置と、
を有するエレベータにおいて、
前記シーブ交換装置は、
前記メインシーブを前記回転軸から抜き取るときに、前記回転軸方向に延びて前記回転軸の端部を押し込み可能に配置された抜取り用ロッドと、
前記メインシーブを前記回転軸から抜き取るときに、前記メインシーブの回転軸方向外側に面する外側円板面に対向するように且つこの外側円板面に着脱可能に取り付けられて、軸方向に貫通し前記回転軸および抜取り用ロッドそれぞれが貫通可能な抜取り用貫通穴が形成されたシーブ抜取り用プレートと、
前記抜取り用ロッドが前記抜取り用貫通穴を貫通した状態を保ちながら前記回転軸の端部を押すと共に、前記メインシーブが固定された前記シーブ抜取り用プレートを前記回転軸から離れる方向へ移動させるように構成された駆動部と、
を有することを特徴とするエレベータ。
【請求項９】
昇降路内を上下移動可能に構成された乗りかごと、
前記乗りかごを吊るメインロープと、
水平に配置されて端部にボルト穴が形成された回転軸と、この回転軸の前記端部が貫通するように回転軸方向外側から抜取り可能に嵌め込まれて前記回転軸と共に回転し外周面に前記メインロープが懸架された円筒状のメインシーブと、を有する巻き上げ機と、
前記メインシーブが取り付けられる側の前記回転軸の端部近傍に配置可能なシーブ交換装置と、
を有するエレベータにおいて、
前記シーブ交換装置は、
取付け用の前記メインシーブを前記回転軸に取り付けるときに、取付け用の前記メインシーブが着脱可能に取り付けられて、軸方向に貫通する嵌込み用貫通穴が形成されたシーブ嵌込み用プレートと、
前記嵌込み用貫通穴に貫通可能で、前記ボルト穴に螺合可能な取付け用ボルトと、
を有し、
前記取付け用ボルトを、前記嵌込み用貫通穴を貫通させて少なくとも１つの前記ボルト穴に螺合させて、
前記取付け用ボルトを前記回転軸方向に締め付けたときに、前記シーブ嵌込み用プレートに固定された前記メインシーブが、前記回転軸がある方に押し付けられて前記回転軸に嵌め込まれて固定されるように構成されていること、
を特徴とするエレベータ。
【請求項１０】
昇降路の上方に配置された巻上げ機に嵌め込まれたメインシーブを抜き取るシーブ抜取り方法において、
前記メインシーブは、前記巻上げ機の水平な回転軸の一方の端部が貫通するように且つ抜取り可能に嵌め込まれて、この回転軸と共に回転し、エレベータ乗りかごを上下移動させるメインロープを外周面に懸架可能な円筒形であって、
当該シーブ抜取り方法は、
前記メインシーブの一方の円板面に、前記回転軸が貫通可能な抜取り用貫通穴が形成された第１の部材を着脱可能に取り付ける第１の部材取付け工程と、
前記第１の部材取付け工程の後に、軸方向に延びるロッド状の第２の部材を、前記抜取り用貫通穴を貫通させて、前記回転軸の端部に取り付ける第２の部材取付け工程と、
前記第２の部材取付け工程の後に、前記第２の部材で前記回転軸の端部を押しながら、前記第１の部材およびメインシーブを前記回転軸から離れる方向へ移動させて、前記回転軸から前記メインシーブを抜き取るシーブ抜取り工程と、
を有することを特徴とするシーブ抜取り方法。
【請求項１１】
昇降路の上方に配置されて一方の端部にボルト穴が形成された回転軸を備えた巻上げ機に、メインシーブを取り付けるシーブ嵌込み方法において、
前記メインシーブは、前記回転軸の端部が貫通するように嵌込み可能で、この回転軸と共に回転し、エレベータ乗りかごを上下移動させるメインロープを外周面に懸架可能な円筒形であって、
当該シーブ嵌込み方法は、
取付け用ボルトが貫通可能な嵌込み用貫通穴が形成された第１の部材を、前記メインシーブの一方の円板面に、着脱可能に取り付ける第１の部材取付け工程と、
前記第１の部材取付け工程の後に、前記第１の部材に固定された前記メインシーブを、前記回転軸の端部近傍に配置するメインシーブ配置工程と、
前記メインシーブ配置工程の後に、前記取付け用ボルトを、前記嵌込み用貫通穴に貫通させて前記端部に形成されたボルト穴に螺合させるボルト取付け工程と、
前記ボルト取付け工程の後に、前記取付け用ボルトを、回転軸方向に締め付けながら、前記第１の部材に固定された前記メインシーブを前記回転軸に嵌め込むシーブ嵌込み工程と、
を有することを特徴とするシーブ嵌込み方法。
【発明の詳細な説明】
【技術分野】
【０００１】
本発明は、シーブ交換装置およびエレベータ、並びにシーブ抜取り方法およびシーブ嵌込み方法に関する。
【背景技術】
【０００２】
エレベータの巻上げ機は、一般に、駆動力を発生させるモータと、モータの回転軸と共に回転して駆動力をメインロープに伝達するメインシーブを有する。このメインシーブは、回転軸に抜取り可能に嵌め込まれている。
【０００３】
この巻上げ機を使用し続けていくうちに、メインシーブはメインロープとの摩擦等により溝が磨耗する。このため、メインシーブを巻上げ機から抜き取って新しいものに交換する必要がある。巻上げ機を構成する部材の中でも、メインシーブは交換頻度が高いことが多い。
【０００４】
シーブの交換は、例えば特許文献１に開示されているように、シーブ軸に焼ばね固定されたシーブのボス部にヒータを挿入する貫通穴を設け、ヒータで加熱してシーブを膨張させて、シーブ軸からシーブを抜きやすくする方法が知られている。
【先行技術文献】
【特許文献】
【０００５】
【特許文献１】特開平７−２１５６４０号公報
【発明の概要】
【発明が解決しようとする課題】
【０００６】
ところが、上記のようなシーブの交換方法では、巻上げ機を設置されている場所、例えば昇降路の上方の機械室から当該巻上げ機を取り外して、機械室の外でメインシーブを交換する必要があることが多い。巻上げ機が設置されている場所は狭いため、交換に要する時間が長くなる場合が多い。また、交換するための装置が大きいと作業が困難になることが多い。
【０００７】
本発明は上述した課題を解決するためになされたものであり、その目的は、エレベータ用巻上げ機のメインシーブを効率よく交換することである。
【課題を解決するための手段】
【０００８】
上記目的を達成するための本発明に係るシーブ交換装置は、エレベータ用の巻上げ機の水平な回転軸の一方の端部が貫通するように軸方向外側から抜取り可能に嵌め込まれて、この回転軸と共に回転し、エレベータ乗りかごを上下移動させるメインロープが外周面に懸架された円筒状のメインシーブを交換するシーブ交換装置において、当該シーブ交換装置は、前記メインシーブを前記回転軸から抜き取るときに、前記メインシーブが取り付けられる側の前記回転軸の端部近傍に配置可能で、前記メインシーブを前記回転軸から抜き取るときに、前記回転軸方向に延びて前記回転軸の端部を押し込み可能に配置された抜取り用ロッドと、前記メインシーブを前記回転軸から抜き取るときに、前記メインシーブの回転軸方向外側に面する外側円板面に対向するように且つこの外側円板面に着脱可能に取り付けられて、軸方向に貫通し前記回転軸および抜取り用ロッドそれぞれが通り抜け可能な抜取り用貫通穴が形成されたシーブ抜取り用プレートと、前記抜取り用ロッドが前記抜取り用貫通穴を貫通した状態を保ちながら前記回転軸の端部を押すと共に、前記メインシーブが固定された前記シーブ抜取り用プレートを前記回転軸から離れる方向へ移動させるように構成された駆動部と、を有することを特徴とする。
【０００９】
また、本発明に係るシーブ交換装置は、水平に配置されて端部にボルト穴が形成された回転軸を有する巻上げ機に装着されて前記回転軸と共に回転し外周面に前記メインロープが懸架された円筒状のメインシーブを、前記回転軸の前記端部が貫通するように回転軸方向外側から嵌め込むシーブ交換装置において、当該シーブ交換装置は、前記メインシーブを前記回転軸に嵌め込むときに、前記メインシーブが取り付けられる側の前記回転軸の端部近傍に配置可能で、取付け用の前記メインシーブを前記回転軸に取り付けるときに、取付け用の前記メインシーブが着脱可能に取り付けられて、軸方向に貫通する嵌込み用貫通穴が形成されたシーブ嵌込み用プレートと、前記嵌込み用貫通穴に貫通可能で、前記ボルト穴に螺合可能な取付け用ボルトと、を有し、前記取付け用ボルトを、前記嵌込み用貫通穴を貫通させて少なくとも１つの前記ボルト穴に螺合させて、前記取付け用ボルトを前記回転軸方向に締め付けたときに、前記シーブ嵌込み用プレートに固定された前記メインシーブが、前記回転軸がある方に押し付けられて前記回転軸に嵌め込まれて固定されるように構成されていること、を特徴とする。
【００１０】
また、本発明に係るエレベータは、昇降路内を上下移動可能に構成された乗りかごと、前記乗りかごを吊るメインロープと、水平に配置された回転軸と、この回転軸の一方の端部が貫通するように軸方向外側から抜取り可能に嵌め込まれて、この回転軸と共に回転し、エレベータ乗りかごを上下移動させるメインロープが外周面に懸架された円筒状のメインシーブを有する巻き上げ機と、前記メインシーブが取り付けられる側の前記回転軸の端部近傍に配置可能なシーブ交換装置と、を有するエレベータにおいて、前記シーブ交換装置は、前記メインシーブを前記回転軸から抜き取るときに、前記回転軸方向に延びて前記回転軸の端部を押し込み可能に配置された抜取り用ロッドと、前記メインシーブを前記回転軸から抜き取るときに、前記メインシーブの回転軸方向外側に面する外側円板面に対向するように且つこの外側円板面に着脱可能に取り付けられて、軸方向に貫通し前記回転軸および抜取り用ロッドそれぞれが貫通可能な抜取り用貫通穴が形成されたシーブ抜取り用プレートと、前記抜取り用ロッドが前記抜取り用貫通穴を貫通した状態を保ちながら前記回転軸の端部を押すと共に、前記メインシーブが固定された前記シーブ抜取り用プレートを前記回転軸から離れる方向へ移動させるように構成された駆動部と、を有することを特徴とする。
【００１１】
また、本発明に係るエレベータは、昇降路内を上下移動可能に構成された乗りかごと、前記乗りかごを吊るメインロープと、水平に配置されて端部にボルト穴が形成された回転軸と、この回転軸の前記端部が貫通するように回転軸方向外側から抜取り可能に嵌め込まれて前記回転軸と共に回転し外周面に前記メインロープが懸架された円筒状のメインシーブと、を有する巻き上げ機と、前記メインシーブが取り付けられる側の前記回転軸の端部近傍に配置可能なシーブ交換装置と、を有するエレベータにおいて、前記シーブ交換装置は、取付け用の前記メインシーブを前記回転軸に取り付けるときに、取付け用の前記メインシーブが着脱可能に取り付けられて、軸方向に貫通する嵌込み用貫通穴が形成されたシーブ嵌込み用プレートと、前記嵌込み用貫通穴に貫通可能で、前記ボルト穴に螺合可能な取付け用ボルトと、を有し、前記取付け用ボルトを、前記嵌込み用貫通穴を貫通させて少なくとも１つの前記ボルト穴に螺合させて、前記取付け用ボルトを前記回転軸方向に締め付けたときに、前記シーブ嵌込み用プレートに固定された前記メインシーブが、前記回転軸がある方に押し付けられて前記回転軸に嵌め込まれて固定されるように構成されていること、を特徴とする。
【００１２】
また、本発明に係るシーブ抜取り方法は、昇降路の上方に配置された巻上げ機に嵌め込まれたメインシーブを抜き取るシーブ抜取り方法において、前記メインシーブは、前記巻上げ機の水平な回転軸の一方の端部が貫通するように且つ抜取り可能に嵌め込まれて、この回転軸と共に回転し、エレベータ乗りかごを上下移動させるメインロープを外周面に懸架可能な円筒形であって、当該シーブ抜取り方法は、前記メインシーブの一方の円板面に、前記回転軸が貫通可能な抜取り用貫通穴が形成された第１の部材を着脱可能に取り付ける第１の部材取付け工程と、前記第１の部材取付け工程の後に、軸方向に延びるロッド状の第２の部材を、前記抜取り用貫通穴を貫通させて、前記回転軸の端部に取り付ける第２の部材取付け工程と、前記第２の部材取付け工程の後に、前記第２の部材で前記回転軸の端部を押しながら、前記第１の部材およびメインシーブを前記回転軸から離れる方向へ移動させて、前記回転軸から前記メインシーブを抜き取るシーブ抜取り工程と、を有することを特徴とする。
【００１３】
また、本発明に係るシーブ嵌込み方法は、昇降路の上方に配置されて一方の端部にボルト穴が形成された回転軸を備えた巻上げ機に、メインシーブを取り付けるシーブ嵌込み方法において、前記メインシーブは、前記回転軸の端部が貫通するように嵌込み可能で、この回転軸と共に回転し、エレベータ乗りかごを上下移動させるメインロープを外周面に懸架可能な円筒形であって、当該シーブ嵌込み方法は、取付け用ボルトが貫通可能な嵌込み用貫通穴が形成された第１の部材を、前記メインシーブの一方の円板面に、着脱可能に取り付ける第１の部材取付け工程と、前記第１の部材取付け工程の後に、前記第１の部材に固定された前記メインシーブを、前記回転軸の端部近傍に配置するメインシーブ配置工程と、前記メインシーブ配置工程の後に、前記取付け用ボルトを、前記嵌込み用貫通穴に貫通させて前記端部に形成されたボルト穴に螺合させるボルト取付け工程と、前記ボルト取付け工程の後に、前記取付け用ボルトを、回転軸方向に締め付けながら、前記第１の部材に固定された前記メインシーブを前記回転軸に嵌め込むシーブ嵌込み工程と、を有することを特徴とする。
【発明の効果】
【００１４】
本発明によれば、エレベータ用巻上げ機のメインシーブを効率よく交換することが可能になる。
【図面の簡単な説明】
【００１５】
【図１】本発明に係るエレベータの一実施形態の構成を示す概略立面図である。
【図２】図１の巻上げ機を示す正面図である。
【図３】図２のIII-III矢視側面図である。
【図４】図２のメインシーブを交換するためのシーブ交換装置のメインフレームを示す概略斜視図である。
【図５】図４のメインフレームの設置する架台部の正面図である。
【図６】図５のVI-VI矢視側面図である。
【図７】図１の巻上げ機近傍にシーブ交換装置を配置する状態を示す概略正面図である。
【図８】図４のメインフレーム等を図７のメインシーブに固定した状態を示す概略正面図である。
【図９】図３のメインシーブに電熱ヒータが巻かれた状態を示す概略側面図である。
【図１０】図８のメインシーブを駆動部のピストンで回転軸を押している状態を示す概略正面図である。
【図１１】図１０のピストンが回転軸を押している状態を模式的に示した概略正面図であって、（ａ）はピストンが回転軸を押す前の状態を示し、（ｂ）はピストンが回転軸を押した後の状態を示している。
【図１２】図１０の状態から、メインシーブが抜き取られた状態を示す概略正面図である。
【図１３】メインシーブを図１２の巻上げ機の回転軸に嵌めこむ前の状態を示す概略正面図である。
【図１４】図１３のシーブ嵌込み用プレートおよびメインシーブに取付け用ボルトを貫通させて回転軸端部の軸ボルト穴に取り付けた状態を示す概略正面図である。
【図１５】図１４の状態から、メインシーブが回転軸に嵌めこまれた状態を示す概略正面図である。
【発明を実施するための形態】
【００１６】
本発明に係るエレベータの一実施形態について、図１〜図１５を用いて説明する。
【００１７】
図１は、本実施形態のエレベータの構成を示す概略立面図である。図２は、図１の巻上げ機１の構成を示す正面図である。図３は、図２のIII-III矢視側面図である。図４は、図２のメインシーブ６を交換するためのシーブ交換装置のメインフレーム１２を示す概略斜視図である。図５は、図４のメインフレーム１２の設置する架台部１９の正面図である。図６は、図５のVI-VI矢視側面図である。
【００１８】
図７は、図１の巻上げ機１近傍にシーブ交換装置を配置する状態を示す概略正面図である。図８は、図４のメインフレーム１２をメインシーブ６に固定した状態を示す概略正面図である。図９は、図３のメインシーブ６に電熱ヒータ２３が巻かれた状態を示す概略側面図である。図１０は、図８のメインシーブ６を駆動部２４のピストン２４ａで回転軸７を押している状態を示す概略正面図である。
【００１９】
図１１は、図１０のピストン２４ａが回転軸７を押している状態を模式的に示した概略正面図であって、（ａ）はピストン２４ａが回転軸７を押す前の状態を示し、（ｂ）はピストン２４ａが回転軸７を押した後の状態を示している。図１２は、図１０の状態から、メインシーブ６が抜き取られた状態を示す概略正面図である。
【００２０】
図１３は、メインシーブ６を図１２の巻上げ機１の回転軸７に嵌めこむ前の状態を示す概略正面図である。図１４は、図１３のシーブ嵌込み用プレート１３ｂおよびメインシーブ６に取付け用ボルト２６を貫通させて回転軸７端部の軸ボルト穴１１に取り付けた状態を示す概略正面図である。図１５は、図１４の状態から、メインシーブ６が回転軸７に嵌めこまれた状態を示す概略正面図である。
【００２１】
先ず、本実施形態のエレベータの構成について説明する。
【００２２】
このエレベータは、図１に示すように、昇降路１００内を上下移動可能に構成された乗りかご３と、この乗りかご３を吊るためのメインロープ２と、そらせシーブ５と、このメインロープ２に吊られた釣合い錘４と、巻上げ機１とを有する。そらせシーブ５にメインロープ２を掛けることで、釣合い錘４が昇降する位置を決めている。なお、図１では、昇降路１００の図示は省略している。
【００２３】
巻上げ機１は、図７に示すように、昇降路１００上方に配置されている。乗りかご３の上下移動を補助するためのかごレール３ａの上端と、釣合い錘４の走行を補助するための釣合い錘レール４ａの上端とを跨ぐように、基礎台座５２が配置されている。この基礎台座５２の上面に巻上げ機用台座５１が固定されている。巻上げ機１は、巻上げ機用台座５１の上面に固定されている。
【００２４】
この巻上げ機１は、図２に示すように、水平な回転軸７を回転させるモータ部８と、この回転軸７の一方の端部に固定されて回転軸７と共に回転するメインシーブ６を有する。このメインシーブ６には、メインロープ２が懸架されており、モータ部８の駆動力をメインロープ２に伝達する機能を備えている。さらに、メインシーブ６が配置されている側と反対側の回転軸７の端部には、ブレーキ部９が設けられている。
【００２５】
図３に示すように、メインシーブ６は、回転軸７外側に面する円板面には、３つのシーブボルト穴１０が周方向に等間隔、すなわち１２０度ごとに形成されている。また、回転軸７の端部には、軸ボルト穴１１が２箇所形成されている。また、回転軸７およびメインシーブ６それぞれには、鍵溝３６が形成されている。この鍵溝３６に鍵３５を係合させて、回転軸７およびメインシーブ６は、互いに周方向に回転しないように固定されている。
【００２６】
さらに、このエレベータは、メインシーブ６を回転軸７から抜き取る機能、およびメインシーブ６を回転軸７に嵌め込む機能を備えたシーブ交換装置を有する。このシーブ交換装置は、巻上げ機１が巻上げ機用台座５１に設置された状態で、メインシーブ６を回転軸７から抜き取ること、およびメインシーブ６を回転軸７に嵌め込むことができる装置である。
【００２７】
ここで、シーブ交換装置の構成について説明する。
【００２８】
シーブ交換装置は、メインフレーム１２と、このメインフレーム１２に着脱可能な架台部１９と、この架台部１９に設置可能な駆動部２４と、を有する。
【００２９】
メインフレーム１２は、図４に示すように、４本の支柱部材、すなわち、第１支柱部材１４ａ、第２支柱部材１４ｂ、第３支柱部材１４ｃ、および第４支柱部材１４ｄを有する。さらに、シーブ抜取り用プレート１３ａおよびシーブ嵌込み用プレート１３ｂを有する。これらの第１〜第４支柱部材１４ａ〜１４ｄそれぞれは、互いに平行に水平に配置された円柱形状である。
【００３０】
シーブ抜取り用プレート１３ａおよびシーブ嵌込み用プレート１３ｂはそれぞれ長方形状の板材で、１つの辺にそれぞれ第１吊ボルト１５ａおよび第２吊ボルト１５ｂが取り付けられている。シーブ抜取り用プレート１３ａには、回転軸７が通り抜け可能な抜取り用貫通穴１７が形成されている。シーブ嵌込み用プレート１３ｂには、後述する取付け用ボルト２６が貫通可能で、回転軸７が通り抜けできない大きさに形成された嵌込み用貫通穴１８が形成されている。また、これらの抜取り用貫通穴１７および嵌込み用貫通穴１８それぞれの周りには、複数のシーブ取付け用貫通穴１６が形成されている。
【００３１】
また、シーブ抜取り用プレート１３ａおよびシーブ嵌込み用プレート１３ｂは、それぞれ第１吊ボルト１５ａおよび第２吊ボルト１５ｂが取り付けられた辺を上側の辺として、互いに間隔をあけて平行に配置されている。
【００３２】
また、シーブ抜取り用プレート１３ａおよびシーブ嵌込み用プレート１３ｂは、それぞれの４隅を第１〜第４支柱部材１４ａ〜１４ｄそれぞれが、垂直に貫通するように固定されている。これにより、第１〜第４支柱部材１４ａ〜１４ｄ、シーブ抜取り用プレート１３ａおよびシーブ嵌込み用プレート１３ｂが、一体に組み立てられている。このとき、第１および第２支柱部材１４ａ、１４ｂがそれぞれ下方側で、第３および第４支柱部材１４ｃ、１４ｄがそれぞれ上方側になるように配置されている。
【００３３】
架台部１９は、シーブ抜取り用プレート１３ａおよびシーブ嵌込み用プレート１３ｂの間に着脱可能に取り付けられている。この架台部１９は、図５および図６に示すように、座部１９ａおよび背面部１９ｂにより構成されている。座部１９ａは、上面側にＶ字形溝部３２が形成された長方形状の板材と、この板材を支持し互いに対向するように２箇所設けられた脚部材１９ｃとからなる。背面部１９ｂは、一方の脚部材１９ｃが座部１９ａに対して垂直に延びて形成された板材である。
【００３４】
座部１９ａに形成されたＶ字形溝部３２は、当該板材の長手方向に延びて、後述する駆動部２４の固定部材２４ｂが設置可能である。各脚部材１９ｃそれぞれには、横断面がＵ字形となる第１Ｕ字形溝部３１ａおよび第２Ｕ字形溝部３１ｂが形成されている。これらの第１および第２Ｕ字形溝部３１ａ、３１ｂそれぞれは、互いに間隔をあけて平行で、第１および第２支柱部材１４ａ、１４ｂがそれぞれ挿入可能に形成されている。第１および第２支柱部材１４ａ、１４ｂそれぞれが、第１および第２Ｕ字形溝部３１ａ、３１ｂに挿入されることによって、座部１９ａがメインフレーム１２に固定される。
【００３５】
また、背面部１９ｂは、上記のＶ字形溝部３２に設置された駆動部２４を固定可能に構成されている。架台部１９がメインフレーム１２に固定されているときは、背面部１９ｂがシーブ嵌込み用プレート１３ｂに接する状態で固定されている。
【００３６】
駆動部２４は、直線移動部材（ピストン２４ａ）と、固定部材２４ｂと、を含み、ピストン２４ａが油圧により直線的に平行移動するように駆動される油圧シリンダである。このピストン２４ａは、シーブ抜取り用プレート１３ａに対して相対的に垂直に移動可能に構成されている。固定部材２４ｂは、ピストン２４ａを取り囲むように構成されて、架台部１９に着脱可能に取り付けられている。
【００３７】
架台部１９に設置された駆動部２４が、メインフレーム１２に取り付けられたときは、ピストン２４ａの移動方向が、第１〜第４支柱部材１４ａ〜１４ｄが延びる方向になるように構成されている。
【００３８】
上記のようなメインフレーム１２内に架台部１９および駆動部２４を組み込むことによって、コンパクトな装置にすることができる。
【００３９】
ここで、シーブ交換装置を用いて、巻上げ機１に嵌め込まれたメインシーブ６を交換する手順について説明する。先ず、巻上げ機用台座５１に固定された巻上げ機１の回転軸７からメインシーブ６を抜き取る手順について説明する。
【００４０】
先ず、図７に示すように、昇降路天井フック２１に吊り下げられた揚重機２０の吊部２０ａを、第１および第２吊ボルト１５ａ、１５ｂそれぞれに引っ掛けて、メインフレーム１２を吊り下げる。この揚重機２０によって、メインフレーム１２の第１〜第４支柱部材１４ａ〜１４ｄそれぞれが、回転軸７に平行（水平）になるように配置される。
【００４１】
この後に、図８に示すように、シーブ抜取り用プレート１３ａが、メインシーブ６と対向する位置まで移動させて、互いに固定する。このとき、シーブ取付けボルト２２を、シーブ抜取り用プレート１３ａに形成されたシーブ取付け用貫通穴１６に貫通させて、メインシーブ６に形成されたシーブボルト穴１０に取り付けて締め付ける。これにより、メインシーブ６およびシーブ抜取り用プレート１３ａは、互いに固定される。
【００４２】
なお、図７および図８では、上記の通り、メインフレーム１２の取り付けられた架台部１９および駆動部２４等の図示は省略している。
【００４３】
次に、図９に示すように、環状の電熱ヒータ２３をメインシーブ６の外周面に半径方向外側から覆うように巻き付けて固定する。この電熱ヒータ２３は、帯状のものをメインシーブ６の外周面に巻き付けられて、取付け部材２３ａ等によって取り付けられている。
【００４４】
この電熱ヒータ２３によって、火炎を使わずにメインシーブ６を加熱することができる。このとき、加熱温度は、例えば約１００℃程度である。この加熱によって、メインシーブ６が膨張し、メインシーブ６および回転軸７の嵌め合いが緩くなり、メインシーブ６を回転軸７から抜きやすくなる。
【００４５】
次に、図１０および図１１（ａ）に示すように、ピストン２４ａの先端を、回転軸７の端部に連結する。連結方法についての詳細な図示は省略するが、ピストン２４ａの先端に取付け治具等を設けて、軸ボルト穴１１等に連結してもよい。このとき、固定部材２４ｂは、メインフレーム１２に固定された状態が保たれている。
【００４６】
ここで、駆動部２４は、ピストン２４ａが回転軸７を押し付ける方向（図１１の矢印Ａの方向）へ直線的に平行移動するように駆動される。この駆動により、固定部材２４ｂからピストン２４ａが飛び出している量は、図１１（ａ）に示すＬ１から、図１１（ｂ）に示すＬ２になる。図示の通り、Ｌ２の軸方向長さは、Ｌ１よりも大きい。
【００４７】
ピストン２４ａが矢印Ａの方向へ移動するように力を作用させることで、シーブ抜取り用プレート１３ａおよびこれに固定されたメインシーブ６は、それぞれ矢印Ａと逆方向へ移動するように力が作用する。これにより、回転軸７からメインシーブ６を抜き取ることができる。この結果、図１２に示すように、メインシーブ６は回転軸７から抜き取られる。
【００４８】
続いて、シーブ交換装置を用いて、昇降路１００内の巻上げ機用台座５１に設置された巻上げ機１の回転軸７にメインシーブ６を嵌め込む手順について説明する。
【００４９】
先ず、図１３に示すように、シーブ嵌込み用プレート１３ｂに、回転軸７に新たに嵌め込むメインシーブ６を電熱ヒータ２３巻かれた状態で固定する。当該メインシーブ６等は、揚重機２０によって、巻上げ機用台座５１に固定された巻上げ機１の近傍まで近づけられる。
【００５０】
ここで、メインシーブ６を取り付けるときは、図７に示すメインシーブ６を抜き取るときとは、メインフレーム１２の向きが左右逆になる。
【００５１】
巻上げ機１近傍に配置されたメインシーブ６の軸心が、回転軸７中心とほぼ同じ位置になるように調整される。また、電熱ヒータ２３によって、抜取りのときと同様に、メインシーブ６が加熱された状態が保たれている。
【００５２】
次に、図１４に示すように、取付け用ボルト２６を、メインシーブ６のシーブ嵌込み用貫通穴１８を貫通させて、回転軸７の軸ボルト穴１１に取り付ける。軸ボルト穴１１に取り付けられた取付け用ボルト２６を回転軸７方向に締め付ける。これにより、メインシーブ６が回転軸７に除々に嵌め込まれる。
【００５３】
上記の通り、嵌込み用貫通穴１８は回転軸７が通り抜けできないため、回転軸７の端部がシーブ嵌込み用プレート１３ｂに接したときに、必ず停止するように構成されている。
【００５４】
この後に、図示は省略するが、シーブ嵌込み用プレート１３ｂおよび電熱ヒータ２３を、メインシーブ６から取り外して、メインシーブ６の交換作業が完了する。
【００５５】
以上の説明からわかるように、本実施形態によれば、エレベータ設置現場で、メインシーブ６を効率よく交換することができる。また、電熱ヒータ２３を用いることで、火気厳禁の場所でも、メインシーブ６を加熱して回転軸７から抜きやすく、また嵌め込みやすくすることが可能になる。
【００５６】
本実施形態の説明は、本発明を説明するための例示であって、特許請求の範囲に記載の発明を限定するものではない。また、本発明の各部構成は本実施形態に限らず、特許請求の範囲に記載の技術的範囲内で種々の変形が可能である。
【００５７】
本実施形態では、駆動部２４に油圧シリンダを用いているがこれに限らない。直線的に駆動可能なアクチェータで、比較的小型なものであればよく、例えば、電動モータを用いることもできる。
【００５８】
また、メインフレーム１２の形状は本実施形態の例に限られない。メインシーブ６を固定するプレートに直接油圧シリンダを固定することも可能である。
【符号の説明】
【００５９】
１…巻上げ機、２…メインロープ、３…乗りかご、３ａ…かごレール、４…釣合い錘、４ａ…釣合い錘レール、５…そらせシーブ、６…メインシーブ、７…回転軸、８…モータ部、９…ブレーキ部、１０…シーブボルト穴、１１…軸ボルト穴、１２…メインフレーム、１３ａ…シーブ抜取り用プレート、１３ｂ…シーブ嵌込み用プレート、１４ａ…第１支柱部材、１４ｂ…第２支柱部材、１４ｃ…第３支柱部材、１４ｄ…第４支柱部材、１５ａ…第１吊ボルト、１５ｂ…第２吊ボルト、１６…シーブ取付け用貫通穴、１７…抜取り用貫通穴、１８…嵌込み用貫通穴、１９…架台部、１９ａ…座部、１９ｂ…背面部、１９ｃ…脚部材、２０…揚重機、２０ａ…吊部、２１…昇降路天井フック、２２…シーブ取付けボルト、２３…電熱ヒータ、２３ａ…取付け部材、２４…駆動部、２４ａ…直線移動部位（ピストン）、２４ｂ…固定部材、２６…取付け用ボルト、３１ａ…第１Ｕ字形溝部、３１ｂ…第２Ｕ字形溝部、３２…Ｖ字形溝部、３５…鍵、３６…鍵溝、５１…巻上げ機用台座、５２…基礎台座、１００…昇降路
【図１】
2011051791.tif 000003
【図２】
2011051791.tif 000004
【図３】
2011051791.tif 000005
【図４】
2011051791.tif 000006
【図５】
2011051791.tif 000007
【図６】
2011051791.tif 000008
【図７】
2011051791.tif 000009
【図８】
2011051791.tif 000010
【図９】
2011051791.tif 000011
【図１０】
2011051791.tif 000012
【図１１】
2011051791.tif 000013
【図１２】
2011051791.tif 000014
【図１３】
2011051791.tif 000015
【図１４】
2011051791.tif 000016
【図１５】
2011051791.tif 000017